(57)【要約】【課題】床下地に固定された既存床材が上貼り材によって覆われた床構造において、該既存床材と床下地との固定部分を補強しつつ該床下地に対して上貼り材を固定可能な構成を得る。【解決手段】床構造１は、床下地２と、床下地２上に固定された既存床材２１と、既存床材２１上に固定された上貼り材３１と、床下地２、既存床材２１及び上貼り材３１を接着固定する接着層４１とを備える。既存床材２１には、厚み方向に貫通するスリット２２ｂが形成されている。接着層４１は、既存床材２１と上貼り材３１との間に充填された接着剤によって構成される床材接着層４２と、スリット２２ｂ内に充填された接着剤によって構成される接続接着層４３と、床下地２と既存床材２１との間に充填された接着剤によって構成される床下地接着層４４とを有する。【選択図】図１
2015175203.tif 000002
【特許請求の範囲】
【請求項１】
床下地と、
前記床下地上に固定された既存床材と、
前記既存床材上に固定された上貼り材と、
前記床下地、前記既存床材及び前記上貼り材を接着固定する接着層とを備え、
前記既存床材には、厚み方向に貫通する貫通穴が形成されていて、
前記接着層は、
前記既存床材と前記上貼り材との間に充填された接着剤によって構成された床材接着層と、
前記貫通穴内に充填された接着剤によって構成された接続接着層と、
前記床下地と前記既存床材との間に充填された接着剤によって構成された床下地接着層とを有する、床構造。
【請求項２】
請求項１に記載の床構造において、
前記既存床材には、前記貫通穴が複数、設けられている、床構造。
【請求項３】
請求項１または２に記載の床構造において、
前記貫通穴は、前記既存床材に設けられたスリットによって構成される、床構造。
【請求項４】
請求項３に記載の床構造において、
前記既存床材は、複数の直方体状の木製ピースが短手方向に並んだ状態で互いに接着固定された床板を有し、
前記スリットは、前記床板の木製ピース同士の継目に沿って形成されている、床構造。
【請求項５】
請求項１から４のいずれか一つに記載の床構造において、
前記床下地は、モルタルによって構成されていて、
前記既存床材には、前記モルタルによって固定されるように下方に突出した固定部が設けられている、床構造。
【請求項６】
床下地上に固定された既存床材を上貼り材によって覆う床の再生方法であって、
前記既存床材に貫通穴を形成する貫通穴形成工程と、
前記既存床材上に接着剤を塗布しつつ、前記貫通穴内に接着剤を充填する接着剤塗布工程と、
前記既存床材上に前記上貼り材を配置して固定する上貼り材固定工程とを備える、床の再生方法。
【発明の詳細な説明】
【技術分野】
【０００１】
本発明は、床下地上に固定された既存床材を利用して床を再生可能な床構造に関する。
【背景技術】
【０００２】
床の補修方法としては、例えば特許文献１，２に開示されている方法が知られている。特許文献１には、床小梁と根太材との間に接着剤を注入可能なように、床面材及び根太材に貫通穴を設ける構成が開示されている。また、特許文献２には、木質板に小孔を設けて、該小孔内に合成樹脂発泡体を充填することにより、クッション材層の補修を行う構成が開示されている。
【０００３】
また、床構造の一つとして、例えば特許文献３，４に開示されているように、モルタル下地床上に木質のフローリングブロックが複数、並んだ状態で固定されている構造が知られている。
【先行技術文献】
【特許文献】
【０００４】
【特許文献１】特公平４−２０４７２号公報
【特許文献２】特許３１８２９２９号公報
【特許文献３】特開平６−５７９２８号公報
【特許文献４】特開平７−２９２９４５号公報
【発明の概要】
【発明が解決しようとする課題】
【０００５】
ところで、特許文献１，２に開示されている方法は、床内部を部分的に補修する場合にはそれぞれ有効であるが、床材が老朽化して床全体を補修する場合にはあまり適さない。
【０００６】
特許文献３，４に開示されているように、モルタルの床下地上に複数の床材が並んだ状態で固定されている構成では、床材が老朽化した場合、床全体を補修する必要がある。そのため、特許文献３，４に開示されている床構造の場合には、上述の特許文献１，２に開示されているような補修方法ではなく、古い床材を剥がす方法や、古い床材上に上貼り材等を固定して新たな床を構成する方法などによって補修される。
【０００７】
古い床材を剥がす補修方法の場合、モルタルによって固定された床材を剥がす作業が容易ではなく、床材を剥がした後もモルタルの修復作業等が必要になる。このように、床材の張替え作業は、必要とされる作業時間が長く、コストもかかるため、敬遠されることが多い。
【０００８】
一方、古い床材（既存床材）上に上貼り材等を固定して新たな床を構成する方法は、床材を剥がす必要がないため、床材を剥がす補修方法に比べて容易に床全体を再生することができる。しかしながら、床材同士の接着性の向上が求められるうえ、既存床材が床下地に対して十分に固定されていないため、新しい床材も段差が生じたり揺れ動いたりする可能性がある。
【０００９】
本発明は、床下地に固定された既存床材が上貼り材によって覆われた床構造において、該既存床材と床下地との固定部分を補強しつつ該床下地に対して上貼り材を固定可能な構成を得ることを目的とする。
【課題を解決するための手段】
【００１０】
本発明の一実施形態に係る床構造は、床下地と、前記床下地上に固定された既存床材と、前記既存床材上に固定された上貼り材と、前記床下地、前記既存床材及び前記上貼り材を接着固定する接着層とを備える。前記既存床材には、厚み方向に貫通する貫通穴が形成されている。前記接着層は、前記既存床材と前記上貼り材との間に充填された接着剤によって構成された床材接着層と、前記貫通穴内に充填された接着剤によって構成された接続接着層と、前記床下地と前記既存床材との間に充填された接着剤によって構成された床下地接着層とを有する。
【００１１】
床下地上に固定された既存床材に設けられた貫通穴内に接着剤を充填することにより、該接着剤は床下地まで達する。そして、床下地と既存床材との間に隙間が生じていた場合、この隙間内にも接着剤が浸入する。これらの部分に浸入した接着剤は、既存床材と上貼り材との間の接着剤とともに接着層を構成する。この接着層によって床下地、既存床材及び上貼り材を互いに固定することができる。
【００１２】
よって、例えば、既存床材が床下地に対して十分に固定されていない状態でも、接着剤によって床下地と既存床材との固定部分を補強することができる。しかも、床下地と上貼り材とは、接着剤によって直接、固定される。したがって、既存床材上に固定された上貼り材を床下地に対してより確実に固定することができる。
【００１３】
前記既存床材には、前記貫通穴が複数、設けられている。このように、既存床材に複数の貫通穴を設けることにより、接着剤が浸入して床下地と上貼り材とを固定する箇所が増える。これにより、床下地に対する上貼り材の接着固定の強度を向上することができる。
【００１４】
前記貫通穴は、前記既存床材に設けられたスリットによって構成される。このように、既存床材に設けたスリットによって貫通穴を構成することにより、容易に貫通穴を形成することができる。しかも、スリットによって貫通穴を構成することで、既存床材のより広範囲に貫通部分を形成することができる。したがって、接着剤が床下地まで浸入する面積を大きくすることができ、床下地に対して上貼り材をさらに確実に固定することができる。
【００１５】
前記既存床材は、複数の直方体状の木製ピースが短手方向に並んだ状態で互いに接着固定された床板を有する。前記スリットは、前記床板の木製ピース同士の継目に沿って形成されている。
【００１６】
これにより、既存床材の床板を構成する木製ピース同士の継目に沿って、スリットを容易に設けることができる。すなわち、鋸によってスリットを形成する際に、木製ピース同士の継目を、スリットを設ける際の目印や位置決めとして利用できる。また、上述の構成により、鋸によってスリットを形成する際に、木製ピースにスリットを形成する場合よりも抵抗を小さくすることができる。
【００１７】
しかも、床下地をモルタルによって構成した場合には、モルタルが木製ピース同士の継目に入り込んで部分的に盛り上がっている可能性がある。これに対し、上述のように木製ピース同士の継目にスリットを形成することにより、該スリットを形成する際に用いる鋸等によってモルタルの盛り上がり部分を削ることができる。これにより、スリットからモルタル（床下地）と既存床材との隙間に接着剤を容易に充填することができる。
【００１８】
上述のような構成を有する既存床材は、木製ピースの長手方向が、隣りに配置された他の既存床材の木製ピースの長手方向と直交するように配置される場合がある。このような場合には、上述のように木製ピースの継目に沿ってスリットを設けることにより、隣り合う既存床材同士で、スリットの延びる方向が互いに直交する。これにより、接着剤をスリット内に充填することにより、該接着剤を既存床材と床下地との隙間の広範囲に充填することができる。
【００１９】
前記床下地は、モルタルによって構成されている。前記既存床材には、前記モルタルによって固定されるように下方に突出した固定部が設けられている。
【００２０】
このようにモルタルによって構成される床下地に対して既存床材の固定部が固定されている構成では、経年変化によって既存床材と床下地との間に隙間等が生じやすくなる。そうすると、既存床材が床下地に対して十分に固定されない状態となり、該既存床材上に上貼り材を固定しても、該上貼り材に段差が生じたり該上貼り材が揺れ動いたりする可能性がある。
【００２１】
このような場合でも、上述の構成のように既存床材に設けた貫通穴内に接着剤を充填することにより、上貼り材を床下地に対して固定することができる。
【００２２】
本発明の一実施形態に係る床材の再生方法は、床下地上に固定された既存床材を上貼り材によって覆う床材の再生方法である。この再生方法は、前記既存床材に貫通穴を形成する貫通穴形成工程と、前記既存床材上に接着剤を塗布しつつ、前記貫通穴内に接着剤を充填する接着剤塗布工程と、前記既存床材上に前記上貼り材を配置して固定する上貼り材固定工程とを備える。
【００２３】
再生対象である既存床材に形成された貫通穴内に接着剤を充填することによって、床下地と上貼り材とを固定することができる。したがって、経年変化によって床下地と既存床材との間に隙間が生じた場合でも、該既存床材上に固定される上貼り材を床下地に対して固定することができる。
【発明の効果】
【００２４】
本発明の一実施形態に係る床構造によれば、床下地とその上に固定された既存床材との間の接着剤、該既存床材に形成された貫通穴内に充填された接着剤、及び、該既存床材と上貼り材との間の接着剤を含む接着層によって、床下地と上貼り材とが固定される。これにより、既存床材と床下地材との固定部分を補強しつつ該床下地に対して上貼り材を固定可能な構成が得られる。
【図面の簡単な説明】
【００２５】
【図１】本発明の実施形態に係る床構造の概略構成を示す断面図である。
【図２】既存床材が床下地上に固定された状態を示す断面図である。
【図３】既存床材を裏面側から見た斜視図である。
【図４】既存床材にスリットを形成した状態を示す断面図である。
【図５】既存床材にスリットを形成した状態を示す平面図である。
【図６】既存床材上に接着剤を塗布した状態を示す断面図である。
【図７】本発明の実施形態に係る床構造の上に、床暖房設備及び仕上げ材を配置した場合の概略構成を示す断面図である。
【発明を実施するための形態】
【００２６】
以下、本発明の床材の好ましい実施形態について、図面を参照しながら説明する。なお、各図中の構成部材の寸法は、実際の構成部材の寸法及び各構成部材の寸法比率等を忠実に表したものではない。
【００２７】
図１に、本発明の実施形態に係る床構造１の概略構成を示す。床構造１は、床下地２上に固定された既存床材２１と、該既存床材２１上に固定された上貼り材３１とを備える。既存床材２１は、例えば、上貼り材３１によって覆われる前は床面を構成していた古い床材である。上貼り材３１は、老朽化した既存床材２１を覆う新しい下地合板である。すなわち、床構造１は、老朽化した床材を新しい上貼り材で覆った構造である。
【００２８】
図２に、床下地２上に複数の既存床材２１を固定した状態を示す。床下地２は、例えばモルタルによって構成されている。既存床材２１は、平面視で略正方形状（図４参照）の木製の床板２２と、該床板２２の下方に突出するように該床板２２に設けられた固定部２３とを備える。
【００２９】
図３は、既存床材２１を裏面側から見た斜視図である。床板２２は、図３に示すように、平面視で長方形状の木製ピース２２ａが幅方向に並べられた状態で互いに接合された板材である。また、図５に示すように、床板２２は、該床板２２を構成する木製ピース２２ａの長手方向が、隣りの床板２２の木製ピース２２ａの長手方向と直交するように配置されている。すなわち、複数の床板２２は、木製ピース２２ａの長手方向が同じ向きである床板２２が市松模様になるように、床下地２上に配置されている（図５参照）。
【００３０】
固定部２３は、例えば図１から図４に示すように、床板２２の裏面側に突出するように該床板２２の側面に設けられている。また、図３に示すように、固定部２３は、床板２２の対向する一対の側面にそれぞれ設けられている。固定部２３は、床板２２において該床板２２を構成する木製ピース２２ａの長手方向の端部に設けられている。
【００３１】
固定部２３は、長方形の板状の金属部材からなり、複数の貫通穴２３ａ（本実施形態では４つの貫通穴）を有する。また、固定部２３は、長辺側の一方が床板２２の側面に接続されていて、長辺側の他方が床板２２の厚み方向に突出している。
【００３２】
一対の固定部２３は、床板２２から突出している部分がモルタルからなる床下地２に埋設されることにより、該床下地２に固定される。
【００３３】
なお、上述のように木製ピース２２ａの長手方向が同じ向きである床板２２が市松模様になるように、複数の床板２２を配置した場合、図１及び図２に示すように、隣り合う床板２２の固定部２３は、それらの長手方向が交差するように配置される。
【００３４】
以上のように床下地２上に固定された既存床材２１は、経年変化によって伸縮が発生して、図２に示すように、床下地２との間に隙間２４等が生じる。そうすると、床下地２による固定部２３の固定が不安定な状態になり、既存床材２１に段差が生じたり該既存床材２１が揺れ動いたりする可能性がある。
【００３５】
図４は、床下地２上に固定された既存床材２１の断面図である。図５は、既存床材２１の上面図である。図４及び図５に示すように、既存床材２１の床板２２には、木製ピース２２ａの継目に沿って複数のスリット２２ｂ（貫通穴）が形成されている。これらのスリット２２ｂは、床板２２を厚み方向に貫通するように設けられているとともに、木製ピース２２ａの長手方向に長い形状を有する。
【００３６】
スリット２２ｂは、例えば丸鋸及びグラインダーを用いて形成される。具体的には、丸鋸によって、床板２２を、モルタルからなる床下地２に丸鋸が少し接触する程度まで切削する。その後、グラインダーによって、丸鋸で削り残した部分を、床板２２の両面におけるスリット２２ｂの開口面積が同程度になるまで切削する。丸鋸及びグラインダーは、鋸の歯の厚みと砥石の厚みとが同程度であるのが好ましい。
【００３７】
このように、床板２２にスリット２２ｂを形成する際に、丸鋸だけでなく、グラインダーも用いることにより、丸鋸の歯が床下地２に接触して火花が出たり傷んだりするのを防止できる。しかも、丸鋸で削り残した部分をグラインダーによって切削することにより、床下地２も同時に削ることができ、該床下地２と既存床材２１との隙間に接着剤を充填しやすくなる。
【００３８】
なお、本実施形態では、１つの既存床材２１に、スリット２２ｂが２箇所、平行に設けられている。すなわち、図５に示すように、床下地２上に敷設された複数の既存床材２１には、隣り合う既存床材２１に設けられたスリット２２ｂ同士が延伸方向に交差するように、複数のスリット２２ｂが形成される。
【００３９】
上述のように既存床材２１に形成されたスリット２２ｂは、床下地２と既存床材２１との間に形成された上述の隙間２４と繋がる。
【００４０】
図６は、既存床材２１上に接着剤を塗布した状態を示す図である。スリット２２ｂが形成された既存床材２１上に、上貼り材３１を接着固定するための接着剤を塗布することにより、図６に示すように、既存床材２１に形成されたスリット２２ｂ内に接着剤が浸入する。その際、スリット２２ｂと繋がっている隙間２４内にも接着剤が浸入する。上述のように、隣り合う既存床材２１において、スリット２２ｂ同士が延伸方向に交差するように、複数のスリット２２ｂが形成されているため、既存床材２１と床下地２との隙間２４の広範囲に接着剤を充填することができる。
【００４１】
ここで、既存床材２１上に塗布された接着剤、スリット２２ｂ内に浸入した接着剤、及び、隙間２４内に浸入した接着剤によって、接着層４１が構成される。すなわち、図１に示すように、接着層４１は、既存床材２１上に塗布されて該既存床材２１と上貼り材との間に充填された接着剤からなる床材接着層４２と、スリット２２ｂ内の接着剤からなる接続接着層４３と、床下地２と既存床材２１との隙間２４内の接着剤からなる床下地接着層４４とを有する。
【００４２】
なお、接着剤は、スリット２２ｂや隙間２４内に浸入しやすいように、比較的粘度が低いウレタン接着剤などを用いる。ウレタン接着剤を上述のようにスリット２２ｂ内に充填することにより、該ウレタン接着剤の発泡によって、隙間２４の奥まで接着剤が充填される。接着剤は、スリット２２ｂ及び隙間２４内に浸入可能な粘度を有し且つ上貼り材３１と床下地２とを接着可能な材料であれば、他の材料であってもよい。
【００４３】
このように既存床材２１に接着剤を塗布した状態で、該既存床材２１上に上貼り材３１が配置されることにより、図１に示すような床構造１が得られる。接着剤としてウレタン接着剤を用いる場合には、該ウレタン接着剤の発泡が始まる前に上貼り材３１を既存床材２１上に配置する。なお、床構造１では、上貼り材３１が既存床材２１に対して複数のビス２５によっても固定されている。
【００４４】
上貼り材３１は、例えば、合板、コンパネ、ＭＤＦ（Ｍｅｄｉｕｍ  Ｄｅｎｓｉｔｙ  Ｆｉｂｅｒｂｏａｒｄ）、パーチクルボード等の木質繊維板、ＬＶＬ（Ｌａｍｉｎａｔｅｄ  Ｖｅｎｅｅｒ  Ｌｕｍｂｅｒ）、または、集成板などによって構成される。
【００４５】
ここで、上述のような床構造１によって床を再生する方法において、既存床材２１にスリット２２ｂを形成する工程が本発明の貫通穴形成工程に、既存床材２１上に接着剤を塗布しつつ、スリット２２ｂ内に接着剤を充填する工程が本発明の接着剤塗布工程に、既存床材２１上に上貼り材３１を配置して固定する工程が本発明の上貼り材固定工程に、それぞれ対応する。
【００４６】
なお、上述の構成を有する床構造１上に、仕上げ材を配置してもよいし、床暖房設備を設けて、その上に仕上げ材を配置してもよい。例えば、床構造１上に床暖房設備を設けた場合の床１０の構造を図７に示す。この床１０では、本実施形態の床構造１上に温水マット１１及び根太材１２が配置されているとともに、該温水マット１１及び根太材１２上に仕上げ床材１３が配置されている。図７において、符号１４は、床暖房設備の一部を構成し且つ温水を循環させるためのチューブである。
【００４７】
以上より、既存床材２１に複数のスリット２２ｂを設けることにより、該スリット２２ｂを介して接着剤を既存床材２１と床下地２との隙間２４内に充填することができる。これにより、既存床材２１と床下地２との隙間２４を接着剤で埋めて、既存床材２１を床下地２に対して強固に固定することができる。
【００４８】
しかも、スリット２２ｂ内にも接着剤が充填されるため、該スリット２２ｂ内の接着剤によって構成される接続接着層４３により、上貼り材３１を既存床材２１及び床下地２に対して接着固定することができる。この接続接着層４３は、既存床材２１と床下地２との隙間２４内に充填された接着剤によって構成される床下地接着層４４、及び、既存床材２１と上貼り材３１との間の接着剤によって構成される床材接着層４２とともに接着層４１を構成するため、上貼り材３１を床下地２に対してより強固に接着固定することができる。
【００４９】
したがって、以上の構成により、上貼り材３１を、既存床材２１上に接着固定しつつ床下地２と接着固定することができる。これにより、老朽化した既存床材２１上に、上貼り材３１を接着固定して床を再生することができる。
【００５０】
また、上述のような床構造１により、老朽化した既存床材２１をモルタルの床下地２から撤去する場合に比べて、既存床材２１の撤去作業や床下地２の修復が不要になる分、工期を短縮できるとともに、工事費用を軽減することができる。さらに、既存床材２１を撤去する必要がないため、廃材もほとんど出ない。
【００５１】
＜その他の実施形態＞
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【００５２】
前記実施形態では、既存床材２１は、裏面側に突出した固定部２３を有し、該固定部２３によってモルタルの床下地２上に固定されている。しかしながら、既存床材は、他の構成を有する床下地上に固定されていてもよい。この場合には、既存床材において、該既存床材と床下地との隙間に接着剤を充填可能な位置にスリットを設ければよい。なお、既存床材の形状も平面視で略正方形状に限らず、どのような形状であってもよい。
【００５３】
前記実施形態では、既存床材２１の床板２２に複数のスリットを形成しているが、スリットは一つであってもよいし、スリットに限らず、ドリル等によって形成される丸形状などの貫通穴であってもよい。なお、生産性を考慮すると、スリットが好ましい。
【００５４】
前記実施形態では、上貼り材３１を下地合板としているが、この限りではなく、仕上げ材等、他の部材であってもよい。
【産業上の利用可能性】
【００５５】
本発明による床構造は、床を再生する場合に利用可能である。
【符号の説明】
【００５６】
１  床構造
２  床下地
２１  既存床材
２２ａ  木製ピース
２２ｂ  スリット
２３  固定部
３１  上貼り材
４１  接着層
４２  床材接着層
４３  接続接着層
４４  床下地接着層
【図１】
2015175203.tif 000003
【図２】
2015175203.tif 000004
【図３】
2015175203.tif 000005
【図４】
2015175203.tif 000006
【図５】
2015175203.tif 000007
【図６】
2015175203.tif 000008
【図７】
2015175203.tif 000009